(57)【要約】【課題】液体添加剤の水溶液と炭化水素とを混合して、所望の安定したエマルションを形成する。【解決手段】ゲル化温度ＴＧ未満の温度の水と混合するとゲル化する傾向のある液体添加剤を準備する工程と、ゲル化温度ＴＧ未満の温度ＴＣの水流を生成する工程と、混合機入口を有する混合機に水流を送り、水流にエネルギを付与する工程と、混合機入口の下流で水流に液体添加剤を加えて水流に液体添加剤を混合し、エネルギにより液体添加剤のゲル化を抑制して、実質的に均質な液体添加剤の水溶液を生成する工程と、混合機内で炭化水素（６６，７０）を水溶液に混合して、炭化水素−水エマルションを生成する工程とを含む炭化水素を含む水性エマルションの製法。また、本発明では、異なるエマルションを生成しかつ混合して、所望の特性を有する混合エマルションを生成する。【選択図】　図６
2004027223.tif 000002
【特許請求の範囲】
【請求項１】
ゲル化温度ＴＧ未満の温度の水と混合するときにゲル化する傾向のある液体添加剤を準備する工程と、
ゲル化温度ＴＧ未満の温度ＴＣの水流を生成する工程と、
混合機入口を有する混合機に水流を送り、水流にエネルギを付与する工程と、
混合機入口の下流で水流に液体添加剤を加えて液体添加剤を液体基剤流に混合し、エネルギにより液体添加剤のゲル化を抑制して、実質的に均質な液体添加剤の水溶液を生成する工程と、
混合機内で水溶液と炭化水素とを混合して、炭化水素−水エマルションを生成する工程とを含むことを特徴とする水中に炭化水素を含むエマルションの製法。
【請求項２】
周辺温度の水流を生成して、水流を温度ＴＣに加熱する工程を含む請求項１に記載の製法。
【請求項３】
液体添加剤は、非イオン性界面活性剤、陰イオン界面活性剤、生物活性界面活性剤、不活性界面活性剤、不活性界面活性剤、ポリマー、粘土粒子を活性化する活性化添加剤及びそれらの組合せから成る群から選択される少なくとも１つの構成成分を含む請求項１に記載の製法。
【請求項４】
液体添加剤は、エトキシレート化ノニルフェノール、エトキシレート化アルコール及びその組合せからなる群から選択される請求項３に記載の製法。
【請求項５】
活性化添加剤は、少なくともｐＨ１０の水溶液に調整するのに選択されるｐＨ緩衝溶液を含む請求項３に記載の製法。
【請求項６】
活性化添加剤は、ナトリウム塩、カリウム塩及びリチウム塩、アミン類及びそれらの組合せから成る群から選択されるアルカリ性添加剤である請求項３に記載の製法。
【請求項７】
炭化水素は、原油、粘性炭化水素、精製残油、瀝青（ビチューメン）、コークス及びそれらの混合物からなる群から選択される請求項１に記載の製法。
【請求項８】
混合工程を実行して、炭化水素対水の比率を少なくとも９０：１０のエマルションを生成し、水をエマルションに添加する工程を実施して、炭化水素対水の比率を少なくとも９０：１０の最終エマルションを生成する請求項１に記載の製法。
【請求項９】
エマルションは、少なくとも９７：３の炭化水素対水の比率を有する請求項８に記載の製法。
【請求項１０】
最終エマルションは、７０：３０の炭化水素対水の比率を有する請求項８に記載の製法。
【請求項１１】
混合工程は、第１の部分と第２の部分とに流体を分流する工程と、第１の混合機により第１の部分と第１の炭化水素とを十分な剪断力で混合して、第１の液滴平均粒径を有する第１の炭化水素−水エマルションを形成する工程と、第２の混合機により第２の部分と第２の炭化水素とを十分な剪断力で混合して、第２の液滴平均粒径を有する第２の炭化水素−水エマルションを形成する工程と、第１のエマルションと第２のエマルションとを混合して、少なくとも２つの異なる液滴粒径集団を有する混合エマルションを生成する工程とを含む請求項１に記載の製法。
【請求項１２】
混合機は、静的混合機、動的混合機及びその組合せからなる群から選択される請求項１に記載の製法。
【請求項１３】
混合機は、静的混合機である請求項１に記載の製法。
【請求項１４】
炭化水素−水エマルションに追加の添加剤溶液を混合して、炭化水素−水エマルションの１又は２以上の特性を調整する工程を含む請求項１に記載の製法。
【請求項１５】
実質的に均質な液体添加剤の水溶液を生成する工程と、
混合機により炭化水素を水溶液に混合して、炭化水素対水の体積比が少なくとも９０：１０の第１のエマルションを生成する工程と、
混合機と第１のエマルションの少なくとも一方に追加の添加剤を加える工程と、
エマルジョンを水で希釈して、炭化水素対水の体積比が９０：１０未満の最終エマルションを生成する工程とを含む炭化水素−水エマルションの製法。
【請求項１６】
液体添加剤は、ゲル化温度を有し、ゲル化温度未満の温度で水に混合するとゲル化する材料である請求項１５に記載の製法。
【発明の詳細な説明】
【０００１】
【発明の属する技術分野】
本発明はエマルションの製法、特に、界面活性剤等の添加剤のゲル化を回避して、所望の要求に合わせてエマルションの特性を調整できるエマルションの製法及びエマルション混合物の製法に属する。
【０００２】
【従来の技術】
天然の瀝青（ビチューメン）等の粘着性炭化水素は、カナダ、米国、中国、ナイジェリア及びベネズエラで大量に発見されている。一般に、粘着性炭化水素は、室温で１０００〜６００，０００ｃＰの粘度を有する液体である。この粘度と、粘性炭化水素の相対的に低い反応性とのため、取り扱いの際に相当の困難が発生する。この問題に取り組む一方法は、粘性炭化水素の水エマルション（乳濁液）を形成することにより、粘性炭化水素の粘度を低下させて、これにより燃料として生成物の特性を改善することである。
【０００３】
【発明が解決しようとする課題】
エマルションを生成する別の方法が提案されたが、添加できかつ／又は炭化水素内から活性化される乳化剤又は界面活性剤を利用してエマルションを安定化させなければならない。また、他の所望の物質又は添加剤を含有させても、エマルションは安定のままであるべきである。
【０００４】
本発明の主目的は、安定かつ有用な最終生成物を生成する粘性炭化水素の水性エマルションの製法を提供することにある。
【０００５】
本発明の他の目的及び他の利点を以下に示す。
【０００６】
【課題を解決するための手段】
本発明により、前記目的及び利点を容易に達成した。
【０００７】
本発明による炭化水素の水性エマルションの製法は、ゲル化温度ＴＧ未満の温度で水と混合するときにゲル化する傾向のある液体添加剤を準備する工程と、ゲル化温度ＴＧ未満の温度ＴＣでの水流を生成する工程と、混合機入口を有する混合機に水流を供給し、水流にエネルギを付与する工程と、混合機入口の下流で水流に液体添加剤を配合して、液体添加剤を水流に混合し、エネルギにより液体添加剤のゲル化を抑制して、実質的に均質な液体添加剤の水溶液を生成する工程と、混合機内で水溶液を炭化水素と混合して、炭化水素の水性エマルションを形成する工程とを含む。
【０００８】
本発明による水溶液を生成する工程では、加熱工程及び冷却工程を過度に使用せずに、良好にゲルの形成を回避できる。
【０００９】
本発明による他の実施の形態では、所望の特性を備えるようにエマルションを微調整する工程が実施される。
【００１０】
【発明の実施の形態】
本発明による好適な実施の形態を添付図面について以下詳細に説明する。
本発明は、添加剤と界面活性剤の溶液を生成する工程を使用しかつ加熱工程と静的混合機（スタティックミキサ）とを使用して添加剤のゲル形成を回避する炭化水素の水性エマルション（乳濁液）の製法に関する。
【００１１】
更に、本発明は、濃縮されたエマルションを生成する工程と、濃縮エマルションを他のエマルションにより希釈し及び／又は他のエマルションと混合して、幾何学的特性及び流動学的特性を有するエマルションを生成する工程とを含む炭化水素の水性エマルションの製法に関する。
【００１２】
図１は、複数の添加剤１０，１２，１４を水流１６に添加する界面活性剤溶液の製法を概略的に示す。本発明の本実施の形態では、添加剤１０及び１４は水溶性でありゲル化しないため、あらゆる好適な場所で添加剤１０及び１４を添加できる。
【００１３】
しかしながら、添加剤１２は、特定の温度以下例えば周辺温度で水と混合するとゲル化する傾向又は図２に示す添加剤と類似する特性を有する界面活性剤等の添加剤である。従って、水流１６を加熱器１８に送り、周辺温度より高くかつ好ましくは添加剤１２の最大ゲル化温度ＴＧより低い温度ＴＣまで水流１６の温度を周辺温度から上昇させる。その後、加熱された水流２０をスタティックミキサ入口２４からスタティックミキサ２２に送り、水流にエネルギを付与する。少なくともあるエネルギを水流に付与したとき、図１の概略図に示す添加剤入口２６から添加剤１２をスタティックミキサ２２に添加することが好ましい。
【００１４】
ゲル化温度ＴＧ以上の温度に流体流２０の温度を加熱しない事実にも拘わらず、本発明では、ミキサ２２内の流体流２０に付与される混合エネルギが、添加剤１２のゲル形成の防止に十分に有効であることが判明した。
【００１５】
スタティックミキサ２２から流出する流体流２８は、水１６と、添加剤１２と、必要に応じて配合できる他の添加剤１０等との実質的に均質な非ゲル化混合物を含むことが好ましい。
【００１６】
前記のように、水溶性の添加剤１０及び１４は、如何なる場所でも配合可能である。このように、図１に示す実施の形態では、添加剤１０は、加熱器１８とスタティックミキサ２２との上流で流体流１６に配合されると共に、ミキサ２２の下流で添加剤１４が配合される。
【００１７】
更に図１について説明すると、例えば温度ＴＣが有効な乳剤形成工程等の後工程に温度ＴＣでそのまま流体流２８を特に供給できる。これは、溶液の生成に使用される熱を乳剤の製造に再利用でき、製造効率の向上に有利である。
【００１８】
より低い温度が要求される他の製造工程では、略示する冷却器３０に流体流２８を供給し、所望の工程に適する温度ＴＰに温度を低減できる。
【００１９】
図２〜図４に示すように、図２は、ゲル化する傾向のある液体添加剤の代表的なゲル化温度特性曲線を示し、水の添加剤濃度に対するゲル化温度ＴＧを示す。図示のように高濃度では、添加剤は、実質的に全ての温度で液状である。しかしながら、単に添加物質を水に添加して、低温で濃度を低下させるに過ぎない場合に、添加剤は、確実にゲル化して種々の問題を生じることは明白である。
【００２０】
図２に示すゲル化特性曲線を有する添加剤の一種は、油−水乳剤の生成に使用される界面活性剤である。例えば、エトキシレート化ノニルフェノール（ＮＰＥ）は、図示の特性曲線を有する。一般に市販されるエトキシレート化ノニルフェノールは、約９０％又はそれ以上の濃度で水に配合され、図２に示す点３２にほぼ一致する。このような界面活性剤の他の例は、エトキシレート化アルコール（ＴＤＥ）である。図２の点３４に相当する好ましくは約０．２％の減少された濃度で界面活性剤を使用することが一般的である。本発明の製法では、温度ＴＧを超えて加熱する必要がなくかつゲルを形成せずに点３２から点３４まで希釈できる。
【００２１】
勿論、エトキシレート化ノニルフェノールは、図２に示すゲル化特性曲線を有する添加剤の一例に過ぎない。このため、同様の作用を生ずる他の添加剤も本発明の製法に従って好適に使用できる。更に、本発明により使用可能な種々の添加剤は、非イオン性界面活性剤、陰イオン界面活性剤、不活性界面活性剤、生物活性界面活性剤、不活性界面活性剤、ポリマー、粘土粒子等を活性化する活性化添加剤及びそれらの組合せから成る群から選択される少なくとも１つの界面活性剤を含むことが好ましい。不活性界面活性剤を活性化する活性化添加剤について、不活性界面活性剤は、自然に発生し若しくは別に添加され又はその両方の組合せでもよい。活性化添加剤は、得られた添加剤水溶液を少なくとも約ｐＨ１０に調整するように選択されるｐＨ緩衝溶液を含むことが有利である。更に、好適な活性化添加剤は、ナトリウム塩、カリウム塩及びリチウム塩、アミン類及びその組合せから成る群から選択されるアルカリ性添加剤である。
【００２２】
図３は、ＴＧ以上の温度に加熱しながら、周辺温度から処理温度に移行するのに必要な加熱工程及び冷却工程を示す。これにより、ゲル形成を回避できるが、相当の加熱冷却コストを要することを容易に理解できよう。
【００２３】
図４に示すように、本発明の好適な製法では、ゲル実在最高温度ＴＧより低いが、周辺温度より高い温度ＴＣまで加熱する温度で添加剤を水で希釈する。これは、スタティックミキサから付与されるエネルギがゲル形成を有効に防止しかつ所望の通りに液体基剤又は水に効果的に混合できるゲル形成特性曲線の十分な高さにまで添加剤を加熱する。
【００２４】
図３に比べて、本発明の製法での加熱コスト及び冷却コストを実質的に減少できることを容易に理解できよう。また、所望のエネルギの付与に使用されるスタティックミキサ２２も、同様に、効率良く作動し信頼性が高く安価である。
【００２５】
添加剤入口の好適な配置を図５に図示する。図５は、ミキサ２２の長さ方向に沿って３６０゜回転に対応する長さＬｍを各々有する一連の渦流発生要素３６を設けたスタティックミキサ２２を概略的に示す。スタティックミキサ２２と渦流発生要素３６とは同様に直径ｄ０を有する。本発明により、界面活性剤又は添加剤の単数又は好ましくは複数の入口３８は、渦流発生部材３６の開始部からほぼＬｍ／４に等しい距離Ｌｂだけ下流に配置することが好ましい。更に、単数又は複数の入口３８は、約ｄ０／４にほぼ等しい距離ｈだけミキサ２２内に延伸させることが好ましい。これは、十分な渦流エネルギを付与した点で添加剤を流体流内に良好に注入して、ゲル形成温度未満の温度でのゲル形成を回避できる。これにより、本発明の優れた効果を得ることができる。
【００２６】
本発明による界面活性剤溶液の製法は、連続的な方法により実行でき、界面活性剤の濃度が水相中に均一分布するので、粘着性の炭化水素を含む高品質の水性エマルション等の生成物を下流に製造できることを容易に理解できよう。更に、この製法では、最小量のエネルギを使用して加熱工程及び／又は冷却工程を実施し、最小量の保守でミキサを利用しながら、優れた結果が得られることを容易に理解できよう。
【００２７】
図６は、エマルションを製造する本発明の方法を概略的に示す。図６は、図１〜図５に関して説明した添加剤界面活性剤溶液を製造するモジュール５０を示す。
【００２８】
また、図６に示すように、２又はそれ以上の異なるエマルションを製造するモジュール５２，５４を設けると共に、異なるエマルションを混合して所望の最終エマルションを製造するモジュール５６を設ける。
【００２９】
更に、図６に示すように、本発明では、モジュール５０からの溶液流５８を第１の部分６０と第２の部分６２とに分流することが有利である。更に必要に応じて、第１の部分６０を水６４により希釈して、モジュール５２の混合機内で炭化水素６６と混合し、例えば約３０ミクロン範囲の大きい液滴粒径を有する第１のエマルション６８を形成する。
【００３０】
モジュール５４の混合機内で第２の部分６２と炭化水素７０とを混合して、小さい平均値の液滴粒径を有する第２のエマルション７２を形成する。続いて、第１のエマルション６８と第２のエマルション７２とをモジュール５６で混合して、所望の最終エマルションを形成する。この点では、例えば、小さい液滴粒径のエマルション７２に追加の水７４をシステムのエマルジョン７２の流れの中に添加することによって、例えば約２９％に等しいか又はこれ以上の所望の水含有量を有する最終二峰性エマルションを生成することが有利であり、更に／又はエマルション混合工程の下流で更に水を配合することもできる。
【００３１】
図７は、図６の実施の形態により大きい液滴粒径のエマルションを形成するモジュール５２に関する図６の部分を概略的に示す。図７は、静的混合機（スタティックミキサ）として示す第１の混合機１００に送られる界面活性剤と添加剤との溶液の部分６０に水６４を混合する工程を示す。次に、得られた混合物に炭化水素６６を混合して、スタティックミキサとして示す別の混合機７６に送られる。必要に応じて、別法として、図示の混合機１００及び７６は動的混合機でもよいことは明白である。炭化水素−水混合物は、スタティックミキサ７６から別の混合機７８に送出されるが、混合機７８は、所望の液滴粒径エマルションを生成するのに十分な剪断力で動作することが好ましい動的混合機、静的混合機又はその両方である。この点では、特定の速度で混合機を操作することにより動的混合機による剪断力を制御し、所与のミキサの直径に対して流量及び温度を調整することによりスタティックミキサの剪断力を制御できる。
【００３２】
図７とほぼ同様の構成を示す図８は、図６に示す実施の形態の小さい液滴粒径エマルションを生成するモジュール５４をより詳細に示す。図示のように、界面活性添加剤溶液の第２の部分６２に追加の水８０を配合して、スタティックミキサとして示す混合機８２に送られる。次に、得られた希釈溶液に炭化水素７０を混合して、静的混合機（スタティックミキサ）又は動的混合機の何れでもよいが、この場合、スタティックミキサとして示す他の混合機８４に送出される。続いて、得られた予め混合された配合物を別の混合機８６に送るが、混合機８６は、動的混合機若しくは静的混合機の何れか又は両方が可能でありかつ例えば３ミクロンの小さい所望の液滴粒径に生成するのに選択された剪断力で操作される。混合機８６から得られるエマルションを図示の更なる水７４により希釈して、所望のエマルションの最終的な製造工程のモジュール５６（図６）に送られる。
【００３３】
前記のように、生成されたエマルションを希釈して、炭化水素対水を所望の比率で最終生成物を製造できる点で有利である。この点では、追加の混合工程を実施して、炭化水素対水の体積比が少なくとも約９０：１０のエマルションを生成することが好ましく、またエマルションを希釈して、炭化水素対水の体積比が約９０：１０未満の最終エマルションを生成することが有利である。炭化水素対水を少なくとも約９７：３の体積比を有する初期エマルションを生成し、このエマルジョンに水を配合して希釈する工程を実施し、炭化水素対水が約７０：３０の体積比を有する最終エマルションを生成することが特に好ましい。勿論、所望の他の比率でもよい。しかしながら、前記比率は、エマルションの効率的かつ有効な混合に適し、特に安定で所望の最終生成物となる。
【００３４】
図９及び図１０は、静的混合機及び動的混合機を使用して、所望のエマルションに対するそれぞれ大きい液滴粒径と小さい液滴粒径を生成する剪断速度を示す。図９に示すように、１２〜３５ミクロン範囲の液滴粒径を得る場合に、静的混合機及び動的混合機の両方とも、３００１／ｓ未満の剪断速度が許容できる結果を示し、得られた結果を比較すると、静的混合機と動的混合機とは互いに互換性があると考えられる。
【００３５】
図１０に示すように、小さい液滴粒径エマルションに対して、静的混合機又は動的混合機により、３．５〜４．７５ミクロン範囲の許容できる平均液滴粒径を約８００１／ｓと約１２００１／ｓとの間の剪断速度で得ることができ、また、前記液滴粒径の生成に対し静的混合機と動的混合機とが実質的に互換性があることが明らかである。
【００３６】
２種又はそれ以上の異なるエマルションから最終エマルションを製造する場合にも前記説明を適用できよう。添加剤溶液の生成工程と、混合機の動作工程とを含む本発明の方法は、勿論、単一（一様式）のエマルション生成にも同様に十分に適することを理解すべきである。この場合、図６に示すモジュール５４を省略できる。また、混合モジュール５６を必要とせずに、所望の水含有量まで最終エマルションを希釈する希釈モジュールのみ必要となろう。
【００３７】
前記のように、本発明の方法により生成できるエマルションの炭化水素相は、多種多様な炭化水素である。エマルションの粘度を好適に低減できるので、粘性炭化水素をこの方法に有利に使用できる。
【００３８】
モジュール５０の溶液中に添加すべき添加剤は、代表的に、非イオン性界面活性剤、陰イオン界面活性剤、生物活性界面活性剤、不活性界面活性剤、不活性界面活性剤、ポリマー、粘土粒子等を活性化する活性化添加剤及びそれらの組合せを含むことができる。本発明の方法により、有害なゲル化等を発生させずに、水と接触してゲル化する添加剤及び界面活性剤を水の希釈により所望の低濃度で使用できる利点が生ずる。低濃度の界面活性剤を使用すれば、材料コストの節約となる点でこれは特に好ましい。更に、過剰量な界面活性剤を使用すると、コストに加えて、最終生成物にも同様に好ましくないことがある。
【００３９】
再度、図１１に示すように、前記方法に従い、最初に複数の一様式のエマルションを生成した後、これらのエマルションを混合すれば、二様式のエマルションを有利に生成できる。図１１は、２つの異なる一様式エマルションの液滴粒径分布を示し、また、２つの一態様エマルションから生成される二様式又は最終のマルション生成物の液滴粒径分布を示す。この最終生成物は、安定しかつ所望の特性を有する。
【００４０】
更に本発明では、本発明により生成されるエマルションに追加の添加剤を混合したとき特に安定することが判明した。最終エマルション生成物を生成するのに代表的に必要な種々の添加剤の多くは、エマルションの安定性に対し悪影響を与えることがある。しかしながら、本発明により生成されるエマルションは、エマルション生成物に添加剤を混合した後でもなお顕著な安定性を示す。図１２は、追加の添加剤を混合する前後のエマルションの平均液滴粒径を示す。図１２から理解されるように、液滴粒径分布は、添加剤を配合する前後で実質的に同一である。液滴粒径分布の安定性により、本発明による方法の特有の長所である所望の特性にまでエマルション生成物を微調整できる。
【００４１】
【実施例】
下記の実施例は、本発明による界面活性剤溶液生成工程を使用して得られる優れた結果を示す。
【００４２】
実施例１
本実施例では、それぞれ１９．０５ｍｍ（３／４インチ）の１２個の要素を有する「ケニックス（Ｋｅｎｉｃｓ）（登録商標）」混合機を使用して、エトキシレート化トリデシルアルコールを３５℃の温度の水に混合した。この水を周辺温度から３５℃まで加熱した。スタティックミキサに送られる物質と、プロセス温度と、スタティックミキサの特性とに基づいて決定される混合エネルギをスタティックミキサにより付与しながら、種々の添加物流量で水と添加剤とを混合した。下表１は、各場合に得られた溶解量を示す。
【００４３】
【表１】
2004027223.tif 000003
【００４４】
表に示すように、図示の流量に対し、４０Ｗ／キログラム及びそれ以上の混合エネルギで優れた溶解度が得られた。わずか４Ｗ／キログラムの混合エネルギでは、７８％の溶解度が得られた。このように、本発明では、スタティックミキサにより付与する混合エネルギにより、ゲル形成を回避して添加剤の完全な溶解を促進できることは明白である。
【００４５】
実施例２
この実施例では、ミキサに沿う異なる３個所で界面活性剤を加熱された水に混合して、添加剤注入器の有利な位置を実証できた。
【００４６】
第１の例では、ミキサの入口で添加剤を水に注入した。第２の評価では、図５の説明に従い選択された位置で単一の注入器により添加剤を注入した。最後に、第３の評価では、図５に示す位置に配置した２つの注入器により添加剤を注入した。
【００４７】
ミキサの入口で導入された添加剤では、僅か７２％の溶解度が得られた。単一の注入器により入口の下流で添加剤を導入すると、８０％の溶解度が得られた。図５に示すように、入口の下流で２つの注入器により添加剤を注入すると、９４％の溶解度が得られた。このように、本発明では、添加剤注入器又は添加剤入口の位置によって、所望の高溶解度が与えられる。
【００４８】
炭化水素−水エマルションを生成する本発明の方法では、ゲル化せずに、エマルションに混合する液体添加剤を準備し、全て所望の通りに特定の要求を満足する最終エマルションを生成できることを容易に理解できよう。
【００４９】
過剰量の混合エネルギを使用せずに、添加剤のゲル化を回避することにより、ゲル化させずに低濃度の界面活性剤等の添加剤を使用できる。更に、本発明の製法は、所望の最終用途にエマルションを適応させる際に融通性（汎用性）を与え、エマルションの安定性に影響を与えずにかつ添加剤をゲル化しない潜在的に広範囲の添加剤を含む。
【００５０】
本明細書に詳記し図面に明示した説明は、本発明を実行する最良の形態を単に示すに過ぎず、本実施の形態では、形状、大きさ、部材の配置及び動作の詳細を変更することができ、本発明を前記説明に限定されないと理解すべきである。むしろ、本発明は特許請求の範囲に記載された趣旨及び範囲から逸脱しない実施の形態の全変更を包含することを意味する。
【発明の効果】
前記の通り、本発明では、過度な加熱工程及び冷却工程を必要とせずかつゲルを形成せずに、均質化された液体添加剤の水溶液を生成できると共に、生成された水溶液と炭化水素とを混合すると、物理的及び化学的に安定したエマルションを形成することができる。また、エマルションにより粘性炭化水素の粘度を低下させて、燃料としての特性を改善できる。
【図面の簡単な説明】
【図１】本発明による製法を示す概略図
【図２】水に対し異なる濃度の代表的な界面活性物質のゲル化温度の特性曲線を示すグラフ
【図３】ゲル化の回避に使用できる熱処理単独工程を示すグラフ
【図４】ある熱を加えかつエネルギを混合して、ゲル形成を回避する本発明の好適な実施の形態を示すグラフ
【図５】添加剤注入器を好適に配置して、好適な混合を行う本発明の概略図
【図６】本発明による製法を示す概略図
【図７】図６の製法の一部を示す概略図
【図８】図６の製法の後続工程を示す概略図
【図９】大きい液滴粒径のエマルションに静的混合機及び動的混合機を使用して得られる液滴粒径分布を示すグラフ
【図１０】小さい液滴粒径のエマルションに対して静的混合機及び動的混合機を使用して得られる液滴粒径分布を示すグラフ
【図１１】大きい液滴粒径のエマルションと小さい液滴粒径のエマルションとを最適の比率で混合して得られる液滴粒径分布を示すグラフ
【図１２】添加剤と水との混合後に得られたエマルションの特性を微調整した液滴粒径分布を示すグラフ
【符号の説明】
（１２）・・液体添加剤、　（１６）・・水流（流体）、　（２０）・・液体基剤流、　（２２）・・混合機、　（２４）・・混合機入口、　（５８）・・流体、　（６０）・・第１の部分、　（６２）・・第２の部分、　（６６，７０）・・炭化水素、　（６８，７２）・・エマルション、　（７４）・・水、　（７６，７８，８４，８６）・・混合機、　（８２）・・第２の混合機、　（１００）・・第１の混合機、
【図１】
2004027223.tif 000004
【図２】
2004027223.tif 000005
【図３】
2004027223.tif 000006
【図４】
2004027223.tif 000007
【図５】
2004027223.tif 000008
【図６】
2004027223.tif 000009
【図７】
2004027223.tif 000010
【図８】
2004027223.tif 000011
【図９】
2004027223.tif 000012
【図１０】
2004027223.tif 000013
【図１１】
2004027223.tif 000014
【図１２】
2004027223.tif 000015